(57)【要約】【課題】無駄な電力の消費を抑制しつつ、製本処理を含む予約ジョブの開始を迅速に行うこと。【解決手段】後処理の実行を伴う後処理ジョブの予約を受け付けた場合、後処理ジョブの前のジョブが終了次第、連続して後処理ジョブを実行出来るよう、後処理装置Ｂにおけるウォームアップ動作の開始タイミングを決定し、実行中のジョブ又は予約されたジョブの進行状況に変化が発生した場合は、後処理装置Ｂにおけるウォームアップ動作の開始タイミングを調整する。【選択図】図１
2011121188.tif 000002
【特許請求の範囲】
【請求項１】
用紙に画像を形成する画像形成装置と、
当該画像形成装置から受け取った用紙に対して後処理を実行するものであり、後処理を実行するためのウォームアップ動作が必要である後処理装置と、
を有する画像形成システムであって、
画像形成システムで実行されるジョブの予約を受け付ける予約受付部と、
後処理の実行を伴う後処理ジョブの予約を前記予約受付部が受け付けた場合、後処理ジョブの前のジョブが終了次第、後処理ジョブを実行出来るよう、前記ウォームアップ動作の開始タイミングを決定するタイミング決定部と、
当該タイミング決定部により決定された開始タイミングに基づき、前記後処理装置におけるウォームアップ動作を開始するよう、前記後処理装置を制御する制御部と、を有し、
前記タイミング決定部は、実行中のジョブ又は予約されたジョブの進行状況に変化が発生した場合に、前記ウォームアップ動作の開始タイミングを調整し、
前記制御部は、調整された開始タイミングに基づき、前記後処理装置におけるウォームアップ動作を開始するよう、前記後処理装置を制御することを特徴とする画像形成システム。
【請求項２】
前記タイミング決定部は、実行中のジョブに異常が発生してジョブ動作が停止した場合に、前記ウォームアップ動作の開始タイミングを調整する請求項１に記載の画像形成システム。
【請求項３】
前記タイミング決定部は、実行中のジョブに異常が発生してジョブ動作が停止した場合に、ジョブ動作の停止時間に基づいて前記ウォームアップ動作の開始タイミングを調整する請求項２に記載の画像形成システム。
【請求項４】
前記タイミング決定部は、予約されたジョブの数に増減が発生した場合に、前記ウォームアップ動作の開始タイミングを調整する請求項１から３の何れか１項に記載の画像形成システム。
【請求項５】
後処理を実行するためのウォームアップ動作が必要である後処理装置を接続可能とする画像形成装置であって、
ジョブの予約を受け付ける予約受付部と、
後処理の実行を伴う後処理ジョブの予約を前記予約受付部が受け付けた場合、後処理ジョブの前のジョブが終了次第、後処理ジョブを実行出来るよう、前記ウォームアップ動作の開始タイミングを決定するタイミング決定部と、
当該タイミング決定部により決定された開始タイミングに基づき、前記後処理装置におけるウォームアップ動作を開始するよう、前記後処理装置に制御信号を発する本体制御部と、を有し、
前記タイミング決定部は、実行中のジョブ又は予約されたジョブの進行状況に変化が発生した場合に、前記ウォームアップ動作の開始タイミングを調整し、
前記本体制御部は、調整された開始タイミングに基づき、前記後処理装置におけるウォームアップ動作を開始するよう、前記後処理装置に制御信号を発することを特徴とする画像形成装置。
【発明の詳細な説明】
【技術分野】
【０００１】
本発明は、画像形成システム及び画像形成装置に関する。
【背景技術】
【０００２】
近年、複写機やプリンタ等の画像形成装置と、画像形成装置により画像が形成された用紙に対してオンラインで綴じ処理や折り処理等の後処理を実行する後処理装置と、を接続した画像形成システムがオフィスに登場している。この画像形成システムによれば、綴じ処理が実行された冊子や折り処理が実行された冊子が自動的に出力されるため、オフラインでユーザーが綴じ処理等を行わなくてすみ、ユーザーの負担を軽減することが出来る。
【０００３】
画像形成システムに含まれる後処理装置の一種として、ホットメルト接着剤を利用して製本処理を実行するものがある。ホットメルト接着剤を利用した製本処理の概要を説明すると、画像形成装置から搬送された複数枚の用紙を後処理装置内で一時的に積載して用紙束とし、用紙束の背部に溶融したホットメルト接着剤を塗布した後、用紙束の背部に表紙を接着するというものである。
【０００４】
このような製本処理を実行する場合、加熱源によりホットメルト接着剤を加熱してホットメルト接着剤を溶融させるというウォームアップ動作が必要である。従って、加熱源が冷えてホットメルト接着剤が溶融していない状態であると、ウォームアップ動作が完了するまで製本処理を含むジョブが実行出来ず、一定時間、ジョブの開始を待たなければならない。
【０００５】
そこで、製本処理を含むジョブの開始を早めるために、例えば特許文献１に記載された技術が提案されている。特許文献１に記載された技術は、製本処理を含むジョブが予約されたとき、予約されたジョブにおいて後処理を開始する時刻を推定し、推定された時刻に基づいて加熱手段（ホットメルト接着剤を加熱するもの）にウォームアップの指示をするという技術である。特許文献１に記載された技術によれば、製本処理という後処理を開始する時刻に基づいて早めにウォームアップ動作を開始するため、予約されたジョブを開始する際にウォームアップ動作が完了して、ホットメルト接着剤が溶融している。その結果、ウォームアップ動作が完了するまで製本処理を含むジョブの実行を待つ必要はなく、生産性の観点で好ましい。
【先行技術文献】
【特許文献】
【０００６】
【特許文献１】特開２００６−１９９４７５号公報
【発明の概要】
【発明が解決しようとする課題】
【０００７】
ところで、画像形成システムにおいて、実行しているジョブに異常が発生してジョブが停止したり、予約ジョブの割り込みや削除など予約されたジョブの数に増減が発生したりする等、ジョブの進行状況に変化がある場合がある。その結果、あとで予約された製本処理を含むジョブの開始時刻が遅れることがある。
【０００８】
しかし、製本処理を含むジョブの開始時刻が遅れることを考慮せず、特許文献１に記載された技術において、製本処理を含むジョブが予約された時点で推定したジョブの開始時刻のままでウォームアップ動作を開始するようにすると、場合によっては製本処理を含むジョブが開始されるかなり前の時点でウォームアップ動作が完了してしまう場合がある。
【０００９】
ジョブが開始されるかなり前の時点でウォームアップ動作が完了してしまうと、ウォームアップ動作が完了した時点からジョブの開始時刻まで、加熱源を利用してホットメルト接着剤を溶融させつづける必要が生じ、その分だけ加熱源の電力を消費してしまう。また、加熱源によりホットメルト接着剤を高温で維持しつづけると、熱によりホットメルト接着剤が劣化してしまう可能性もある。
【００１０】
そこで、本発明の目的は、無駄な電力の消費を抑制しつつ、製本処理を含む予約ジョブの開始を迅速に行う画像形成システム及び画像形成装置を提供することにある。
【課題を解決するための手段】
【００１１】
上記目的を達成するため、本発明に係る画像形成システムは、
用紙に画像を形成する画像形成装置と、
当該画像形成装置から受け取った用紙に対して後処理を実行するものであり、後処理を実行するためのウォームアップ動作が必要である後処理装置と、
を有する画像形成システムであって、
画像形成システムで実行されるジョブの予約を受け付ける予約受付部と、
後処理の実行を伴う後処理ジョブの予約を前記予約受付部が受け付けた場合、後処理ジョブの前のジョブが終了次第、後処理ジョブを実行出来るよう、前記ウォームアップ動作の開始タイミングを決定するタイミング決定部と、
当該タイミング決定部により決定された開始タイミングに基づき、前記後処理装置におけるウォームアップ動作を開始するよう、前記後処理装置を制御する制御部と、を有し、
前記タイミング決定部は、実行中のジョブ又は予約されたジョブの進行状況に変化が発生した場合に、前記ウォームアップ動作の開始タイミングを調整し、
前記制御部は、調整された開始タイミングに基づき、前記後処理装置におけるウォームアップ動作を開始するよう、前記後処理装置を制御することを特徴とするものである。
【００１２】
また、本発明に係る画像形成装置は、
後処理を実行するためのウォームアップ動作が必要である後処理装置を接続可能とする画像形成装置であって、
ジョブの予約を受け付ける予約受付部と、
後処理の実行を伴う後処理ジョブの予約を前記予約受付部が受け付けた場合、後処理ジョブの前のジョブが終了次第、後処理ジョブを実行出来るよう、前記ウォームアップ動作の開始タイミングを決定するタイミング決定部と、
当該タイミング決定部により決定された開始タイミングに基づき、前記後処理装置におけるウォームアップ動作を開始するよう、前記後処理装置に制御信号を発する本体制御部と、を有し、
前記タイミング決定部は、実行中のジョブ又は予約されたジョブの進行状況に変化が発生した場合に、前記ウォームアップ動作の開始タイミングを調整し、
前記本体制御部は、調整された開始タイミングに基づき、前記後処理装置におけるウォームアップ動作を開始するよう、前記後処理装置に制御信号を発することを特徴とするものである。
【発明の効果】
【００１３】
本発明に係る画像形成システム及び画像形成装置によれば、無駄な電力の消費を抑制しつつ、製本処理を含む予約ジョブの開始を迅速に行うことが出来る。
【図面の簡単な説明】
【００１４】
【図１】本発明に係る画像形成システムの全体構成図である。
【図２】冊子を作成する過程を示す説明図である。
【図３】画像形成システムにおける制御系のブロック図である。
【図４】ウォームアップ動作を開始するタイミングを調整する動作を示すフローチャート図である。
【図５】ウォームアップ動作の開始タイミングを調整する方法を示す説明図である。
【図６】ウォームアップ動作の開始タイミングを調整する方法を示す説明図である。
【図７】ウォームアップ動作の開始タイミングを調整する方法を示す説明図である。
【発明を実施するための形態】
【００１５】
［画像形成システムの概要］
図１は、本発明に係る画像形成システムＸの全体構成図である。
【００１６】
図１に示すように、画像形成システムＸは、画像形成装置Ａと、後処理装置Ｂと、冊子収容装置Ｃから構成される。
【００１７】
画像形成装置Ａは、回転する感光体１の周囲に、帯電部２、像露光部３、現像部４、転写除電部５、クリーニング部６を配置した画像形成部を有する。画像形成部は、帯電部２によって感光体１の表面に帯電を行った後、像露光部３のレーザビームによって原稿から読み取られた画像データに基づく露光走査を行って潜像を形成する。そして当該潜像を現像部４により現像して感光体１の表面にトナー像を形成する。
【００１８】
用紙収納部７Ａから給紙された用紙Ｓは感光体１における転写位置へ搬送される。転写位置において転写除電部５によりトナー像が用紙Ｓ上に転写された後、用紙Ｓの表面の電荷が消去されて感光体１から分離され、搬送部７Ｂにより搬送される。その後、用紙Ｓ上のトナー像は定着部８により用紙Ｓに加熱定着され、用紙Ｓは排紙ローラ７Ｃにより画像形成装置Ａから排出される。
【００１９】
用紙Ｓの両面に画像を形成する場合は、定着部８により加熱定着された用紙Ｓを搬送路切換部７Ｄにより排紙通路から分岐し、反転搬送部７Ｅにおいてスイッチバックして表裏反転させる。そして用紙Ｓを再び画像形成部へ搬送して、用紙Ｓの裏面に画像を形成する。排紙ローラ７Ｃから排出された用紙Ｓは、後処理装置Ｂに送り込まれる。
【００２０】
画像形成装置Ａの上部には操作表示部１０７が配置されており、画像形成システムＸで実行されるジョブの内容が操作表示部１０７を通じてユーザーによって入力される。
【００２１】
後処理装置Ｂは、搬送部１０、排紙部２０、反転部３０、用紙束収容部４０、塗布部５０、表紙供給部６０、断裁部７０、冊子形成部８０等を有し、用紙束Ｓａに表紙Ｋを接着して冊子Ｂｋを形成するという製本処理（後処理）を行うことが出来る。
【００２２】
後処理装置Ｂにおける動作の概要を説明すると、画像形成装置Ａから搬送された用紙Ｓを用いて冊子Ｂｋを形成しない場合は、用紙Ｓは排紙部２０に排出される。一方、画像形成装置Ａから搬送された用紙Ｓを用いて冊子Ｂｋを形成する場合は、用紙Ｓは搬送部１０により反転部３０に搬送され、反転部３０において一時的に積載される。そして反転部３０において所定枚数の用紙Ｓが積載されると、複数枚の用紙Ｓが用紙束として反転部３０から用紙束収容部４０へ渡される。
【００２３】
反転部３０から用紙束収容部４０へ渡された用紙束Ｓａは、図１に示すように用紙束収容部４０による回動により起立した状態となり、用紙束Ｓａの背部に溶融したホットメルト接着剤Ｎが塗布ローラ５１により塗布される。その後、断裁部７０により所定のサイズに断裁された表紙Ｋが冊子形成部８０において用紙束Ｓａの背部に接着され、冊子Ｂｋが形成される。
【００２４】
図２を用いて冊子Ｂｋが形成される過程を説明すると、図２（ａ）で示すように、まず、用紙束Ｓａの背部にホットメルト接着剤Ｎが塗布される。その後、図２（ａ）、図２（ｂ）に示すように、用紙束Ｓａの背部に表紙Ｋが接着される。最終的には、図２（ｃ）で示すように、所定の部材により表紙Ｋに折り目が付けられて表紙Ｋにより用紙束Ｓａが覆われ、冊子Ｂｋが形成される。
【００２５】
後処理装置Ｂにおいて冊子Ｂｋが形成されると、図１で示すように、冊子Ｂｋは後処理装置Ｂから冊子収容装置Ｃへ搬送されて、冊子収容装置Ｃにおいて複数の冊子Ｂｋが積載される。このように、画像形成システムＸを通じて、冊子Ｂｋを形成する製本処理が実行される。
【００２６】
［画像形成システムのブロック図］
図３は、画像形成システムにおける制御系のブロック図であり、本発明に関係する代表的な構成を示している。
【００２７】
画像形成装置Ａ、後処理装置Ｂ、冊子収容装置Ｃは、通信部１０１、２０１、３０１を介して電気的に接続されており、制御信号の授受が相互に行われる。本体制御部１０２、制御部２０２、３０２が協働して画像形成システムＸの動作を制御するが、個別には本体制御部１０２が画像形成装置Ａの各部の動作を制御し、制御部２０２、３０２の各々が後処理装置Ｂ、冊子収容装置Ｃの各々の動作を制御する（本実施形態において本体制御部１０２、２０２、３０２が全体として、本発明における制御部に該当する）。
【００２８】
本体制御部１０２、制御部２０２、３０２は、主にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成され、ＲＯＭに格納されている各種制御プログラムを読み出してＲＡＭに展開し、各部の動作を制御する。画像形成システムＸにおいて予約されたジョブを実行する場合、本体制御部１０２が制御信号を制御部２０２、３０２に送信し、その制御信号をもとに制御部２０２が所定のプログラムに基づいて後処理装置Ｂの動作を制御し、制御部３０２が所定のプログラムに基づいて冊子収容装置Ｃの動作を制御する。
【００２９】
記憶部１０３は、画像読取部１０４で読み取って得た原稿画像の画像データを記憶したり、出力済みの画像データを記憶したりする機能を有する。また、本実施形態において記憶部１０３が本発明における予約受付部に該当し、画像形成システムＸで実行するジョブの予約を受け付け、受け付けたジョブを記憶する。
【００３０】
タイミング決定部１０８は、画像形成システムＸにおいて実行中のジョブや複数の予約ジョブの後に製本処理を含むジョブ（本発明における後処理ジョブに該当する。以下、「製本ジョブ」という。）の予約を記憶部１０３が受け付けた場合に、製本ジョブの前のジョブが終了次第、製本ジョブを実行するよう、ウォームアップ動作（後処理装置Ｂにおけるヒータ５２に電力を供給してホットメルト接着剤Ｎを温めるという動作）を開始するタイミングを決定するものである。ウォームアップ動作の開始タイミングの決定及び調整に関する説明は後述する。
【００３１】
タイマー１０９は、タイミング決定部１０８に決定された開始タイミングを計測するためのものである。
【００３２】
後処理装置Ｂにおけるヒータ５２は、塗布部５０に収容されたホットメルト接着剤Ｎ（図１参照）を加熱するものであり、ホットメルト接着剤Ｎが基準温度（製本処理が可能な温度）になるまで加熱動作を継続する。ホットメルト接着剤Ｎの温度が基準温度になると、制御部２０２によりヒータ５２のＯＮ・ＯＦＦ制御がなされ、ホットメルト接着剤Ｎを基準温度に維持される。
【００３３】
［ウォームアップ動作の開始タイミング調整］
次に、製本ジョブが予約された場合、ヒータ５２のウォームアップ動作を事前に開始する動作について説明する。
【００３４】
画像形成システムＸにおいて製本ジョブを実行する場合、ヒータ５２によりホットメルト接着剤Ｎを溶融させる必要がある。従って、ヒータ５２が冷えてホットメルト接着剤が溶融していない状態であると、ヒータ５２のウォームアップ動作が完了するまで製本ジョブが実行出来ず、一定時間、製本ジョブの開始を待たなければならない。
【００３５】
そこで、画像形成システムＸにおいて、実行中のジョブや複数の予約ジョブの後に製本ジョブが予約された場合、製本ジョブを実行する前にウォームアップ動作を開始させてホットメルト接着剤を溶融させておき、製本ジョブの前のジョブが終了次第、連続して製本ジョブを実行するようにしている。
【００３６】
しかし、画像形成システムＸにおいて、実行しているジョブに異常が発生してジョブが停止したり、予約ジョブの割り込みや削除など予約されたジョブの数に増減が発生したりする等、ジョブの進行状況に変化があり、製本ジョブの実行が当初予定したタイミングからずれる可能性がある。そこで、本発明では、ジョブの進行状況の変化を考慮して、ウォームアップ動作を開始するタイミングを調整するようにしている。以下、この点について図４〜図７を用いて詳しく説明する。
【００３７】
図４は、ウォームアップ動作を開始するタイミングを調整する動作を示すフローチャート図である。なお、図４における動作は、実行待ちの予約ジョブが複数あり、順番としてその予約ジョブの後に実行されるジョブが設定された場合の動作である。
【００３８】
まず、画像形成装置Ａにおける操作表示部１０７を通じてジョブが設定されると（ステップＳ１）、設定されたジョブの予約が受け付けられ（ステップＳ２）、実行待ちの予約ジョブの後にステップＳ２に受け付けられたジョブが実行されるようになる。受け付けられた予約ジョブは、前述したように記憶部１０３に記憶される。
【００３９】
ステップＳ２において予約されたジョブが製本処理を含むものでない、つまり製本ジョブではないと判断されると（ステップＳ３；Ｎｏ）、ヒータ５２のウォームアップ動作は必要ではないため、先行のジョブが完了次第（ステップＳ１０；Ｙｅｓ）、ステップＳ２において予約されたジョブが実行される（ステップＳ１１）。
【００４０】
一方、ステップＳ２において予約されたジョブが製本処理を含むものである、つまり製本ジョブであると判断されると（ステップＳ３；Ｙｅｓ）、製本ジョブの前のジョブが終了次第、製本ジョブを実行出来るよう、事前にホットメルト接着剤Ｎを溶融させるべく、ウォームアップ動作の開始タイミングを決定する（ステップＳ４）。具体的に開始タイミングは、製本ジョブの前のジョブが問題なく実行された場合の終了タイミングからウォームアップ動作に必要な時間を引いたものであり、開始タイミングの決定は、画像形成装置Ａにおけるタイミング決定部１０８により実行される。
【００４１】
ステップＳ４において開始タイミングが決定されると、タイマー１０９により計測を開始する（ステップＳ５）。そして、画像形成システムＸにおいて実行しているジョブに異常が発生してジョブが停止したり、予約ジョブの割り込みや削除など予約されたジョブの数に増減が発生したりする等、ジョブの進行状況に変化があり、製本ジョブの実行が当初予定したタイミングからずれて、ウォーミングアップ動作の開始タイミングを調整する必要があるか否か監視する（ステップＳ６）。ステップＳ６における監視動作は、所定のプログラムに基づいて、本体制御部１０２、制御部２０２、３０２が画像形成システム内の各種センサの信号や記憶部１０３に記憶された予約ジョブの状況に基づいて行われる。
【００４２】
ステップＳ６においてウォームアップ動作の開始タイミングを調整する必要がないと判断した場合は（ステップＳ６；Ｎｏ）、タイマー１０９の計測によりステップＳ４で決定した開始タイミングになったときに（ステップＳ８；Ｙｅｓ）、ウォームアップ動作を実行し（ステップＳ９）、先行のジョブが完了次第（ステップＳ１０；Ｙｅｓ）、続けてステップＳ２において予約された製本ジョブを実行する（ステップＳ１１）。
【００４３】
一方、ステップＳ６においてウォームアップ動作の開始タイミングを調整する必要があると判断した場合は（ステップＳ６；Ｙｅｓ）、ステップＳ４で決定した開始タイミングを調整する動作を実行する（ステップＳ７）。ステップＳ７における動作は、画像形成装置Ａにおけるタイミング決定部１０８により実行される。開始タイミングが調整された後は、調整された開始タイミングでウォームアップ動作を実行するように制御される。
【００４４】
ステップＳ７において行う開始タイミングの調整方法は各種考えられ、その調整方法の具体例を図５〜図７を用いて説明する。図５〜図７において横軸は時間を示す。
【００４５】
まず、図５を用いて調整方法の具体例を説明する。図５において、Ｘ１はタイマー１０９の計測を開始した時点であり、Ｘ２は図４のステップＳ４で決定したウォームアップ動作の開始タイミングである。つまり、図５に示す具体例では、Ｘ１から計測してＴ１の時間が経過したＸ２の時点でウォームアップ動作を開始するようにステップＳ４において開始タイミングが決定されたものである。ここで、画像形成システムＸで実行しているジョブに異常が発生して、Ｙ１の時点でジョブが停止し、Ｙ２の時点でジョブが再開された場合を検討する。
【００４６】
この場合、Ｙ１の時点でジョブが停止したのであるから、ジョブが再開された時点のＹ２からＴ２の時間（ジョブが停止した時点のＹ１と本来の開始タイミングであるＸ２との間の時間）が経過した時点のＸ３において、ウォームアップ動作を開始するように開始タイミングを調整すればよいことになる。従って、ジョブが停止した時点のＹ１で一旦タイマー１０９の計測を停止し、Ｔ２の時間をタイミング決定部１０８により算出して、開始タイミングをＸ３に調整する。そして、ジョブが再開された時点のＹ２から再度タイマー１０９の計測を開始し、タイミング決定部１０８により調整された開始タイミングであるＸ３の時点でヒータ５２のウォームアップ動作を開始するようにする。
【００４７】
次に、図６を用いて調整方法の具体例を説明する。図５と同様に、Ｘ１はタイマー１０９の計測を開始した時点であり、Ｘ２は図４のステップＳ４で決定したウォームアップ動作の開始タイミングである。また、図５と同様に、画像形成システムＸで実行しているジョブに異常が発生して、Ｙ１の時点でジョブが停止し、Ｙ２の時点でジョブが再開された場合を検討する。
【００４８】
図６の場合は、ジョブが停止した時点のＹ１でタイマー１０９の計測を停止せず、ジョブが停止した時点のＹ１とジョブが再開した時点のＹ２との間の時間Ｔ３（ジョブ動作の停止時間）を別のタイマーで計測する。そして、Ｔ３の計測後に、タイミング決定部１０８によりウォームアップ動作の開始タイミングをＸ２にＴ３の時間を合算したＸ３に調整する。そして、タイマー１０９の計測によりタイミング決定部１０８により調整された開始タイミングであるＸ３の時点でヒータ５２のウォームアップ動作を開始するようにする。
【００４９】
次に、図７を用いて調整方法の具体例を説明する。図５と同様に、Ｘ１はタイマー１０９の計測を開始した時点であり、Ｘ２は図４のステップＳ４で決定したウォームアップ動作の開始タイミングである。また、図５と同様に、画像形成システムＸで実行しているジョブに異常が発生して、Ｙ１の時点でジョブが停止し、Ｙ２の時点でジョブが再開された場合を検討する。
【００５０】
図７は、図５、図６と異なり、図４のステップＳ４で決定したウォームアップ動作の開始タイミングＸ２の後で、停止したジョブの再開があった場合を検討するものであるが、この場合、ジョブが停止した時点のＹ１とジョブが再開した時点のＹ２との間の時間Ｔ４と、本来の開始タイミングＸ２とジョブが再開した時点のＹ２との間の時間Ｔ５を別のタイマーで計測する。図７の場合では、ジョブが再開された時点のＹ２から以下に示す時間Ｔ６が経過した時点であるＸ３に開始タイミングを調整すればよいことになる。
Ｔ６＝Ｔ４＋（Ｔ４−Ｔ５）
具体的に説明すると、ジョブが停止した時間がＴ４であるから、開始タイミングの調整にＴ４を考慮し、ジョブ停止した時点のＹ１と本来の開始タイミングであるＸ２との間の時間（Ｔ４−Ｔ５）をＴ４に合算すればよいといえる。従って、タイマー１０９による計測を一旦Ｘ２の時点で停止し、その後、ジョブが再開された時点のＹ２から再度タイマー１０９の計測を開始し、タイミング決定部１０８により調整された開始タイミングであるＸ３の時点でヒータ５２のウォームアップ動作を開始するようにする。
【００５１】
なお、図５〜図７では、画像形成システムＸで実行しているジョブに異常が発生して、Ｙ１の時点でジョブが停止し、Ｙ２の時点でジョブが再開された場合の調整方法を説明したが、例えば製本ジョブの前の予約ジョブについて削除や割り込み等、ジョブの停止中にジョブの増減があった場合は、ジョブの再開時にジョブの増減を考慮してタイミング決定部１０８により開始タイミングを調整してもよい。また、画像形成システムＸでジョブの実行中に、単に製本ジョブの前の予約ジョブについて削除や割り込み等、ジョブの増減があった場合は、ジョブの増減が発生した時点でジョブの増減を考慮してタイミング決定部１０８により開始タイミングを調整してもよい。
【００５２】
以上、図４においてウォームアップ動作を開始するタイミングを調整する動作を説明し、図５〜図７において、具体的な開始タイミングの調整方法を説明した。当該説明のように、実行中のジョブに異常が発生してジョブ動作が停止したり、予約されたジョブの数に増減は発生したりする等、ジョブの進行状況に変化が発生した場合に、ウォームアップ動作の開始タイミングを調整するようにすれば、最適なタイミングでウォームアップ動作を完了させることが出来る。その結果、ジョブが開始されるかなり前の時点でウォームアップ動作が完了して、ウォームアップ動作が完了した時点からジョブの開始時刻まで、ヒータ５２によりホットメルト接着剤Ｎを溶融させつづけるようなことはなく、無駄な電力の消費を抑制し、熱によりホットメルト接着剤Ｎが劣化することも抑制出来る。また、事前にウォームアップ動作が完了するため、製本処理を含む予約ジョブの開始を迅速に行うことが出来る。
【００５３】
図１〜図７に示す実施形態により本発明を説明したが、本発明は当該実施形態に限定されるものではなく、本発明の要旨を逸脱しない範囲における変更や追加があっても本発明に含まれる。
【００５４】
本実施形態では、ウォームアップ動作が必要なものとしてヒータ５２によりホットメルト接着剤Ｎを温める動作を説明したが、例えば、後処理装置Ｂに２次的な定着部を有するような形態であれば、当該定着部を温める動作もウォームアップ動作に該当する。
【００５５】
また、図５〜図７において開始タイミングの調整方法について説明したが、本発明は当該調整方法に限定されることはない。
【符号の説明】
【００５６】
Ｘ  画像形成システム
Ａ  画像形成装置
Ｂ  後処理装置
Ｃ  冊子収容装置
Ｎ  ホットメルト接着剤
５０  塗布部
５１  塗布ローラ
５２  ヒータ
１０１、２０１、３０１  通信部
１０２  本体制御部
１０３  記憶部
１０７  操作表示部
１０８  タイミング決定部
１０９  タイマー
２０２、３０２  制御部
【図１】
2011121188.tif 000003
【図２】
2011121188.tif 000004
【図３】
2011121188.tif 000005
【図４】
2011121188.tif 000006
【図５】
2011121188.tif 000007
【図６】
2011121188.tif 000008
【図７】
2011121188.tif 000009